(57)【要約】【課題】幅寸法を従来に比べて小さくすることが可能な眼科用撮影装置を提供すること。【解決手段】被検眼の前眼部を観察する前眼部観察光学系４０と、被検眼に対して斜め前方から照明光を照射する照明光学系３０と、照明光の被検眼からの反射光を撮影する撮影光学系２０と、を備えた眼科用撮影装置１であって、眼科用撮影装置内を仮想境界面により仕切られる第１空間部と第２空間部に分け、第１空間部に、照明光学系３０と撮像光学系２０が少なくとも配置され、第２空間部に、前眼部観察光学系４０の少なくとも一部が配置されることを特徴とする。【選択図】図２
2020014761.tif 000002
【特許請求の範囲】
【請求項１】
被検眼の前眼部を観察する前眼部観察光学系と、
被検眼に対して斜め前方から照明光を照射する照明光学系と、
前記照明光の被検眼からの反射光を撮影する撮影光学系と、を備えた眼科用撮影装置であって、
眼科用撮影装置内を仮想境界面により仕切られる第１空間部と第２空間部に分け、
第１空間部に、照明光学系と撮像光学系が少なくとも配置され、
第２空間部に、前眼部観察光学系の少なくとも一部が配置されることを特徴とする眼科用撮影装置。
【請求項２】
前記仮想境界面にプレート状の支持体が配置され、この支持体の一方の面に照明光学系と撮像光学系が搭載され、他方の面に前眼部観察光学系の少なくとも一部が搭載されることを特徴とする請求項１に記載の眼科用撮影装置。
【請求項３】
前記仮想境界面の平面視において、前眼部観察光学系の少なくとも一部を構成する部品は、第１空間部に配置される光学系を構成する部品と、重なりを有することを特徴とする請求項１又は２に記載の眼科用撮影装置。
【請求項４】
前記前眼部観察光学系は、前眼部撮影カメラを含み、この前眼部撮影カメラへの光路を導くための開口部を前記支持体に形成したことを特徴とする請求項２に記載の眼科用撮影装置。
【発明の詳細な説明】
【技術分野】
【０００１】
本発明は、眼科用撮影装置に関する。より詳細には、前眼部の検査に利用される眼科用撮影装置の小型化に関する。
【背景技術】
【０００２】
かかる眼科用撮影装置として、下記特許文献１や特許文献２に開示される装置が公知である。この眼科用撮影装置は、各文献の代表図面に示されるように、基本的な光学系の構成として、前眼部観察光学系と、照明光学系と、撮像光学系とを備えている。これらの光学系は、被検眼の中心（光学基準軸）に前眼部観察光学系が配置され、その左右両側に、照明光学系と撮像光学系が配置される。これらの光学系を構成するすべての部品は、プレート状の支持体（台板）の一方の面に搭載されている。
【先行技術文献】
【特許文献】
【０００３】
【特許文献１】特開２０１７−５５８６６号公報
【特許文献２】特開２０１５−２１７１４０号公報
【発明の概要】
【発明が解決しようとする課題】
【０００４】
一方、眼科用撮影装置を小型化したいという要望、特に装置の幅寸法を小さくしたいという要望がある。その理由は、病院内での配置スペースが限られているので、機器はなるべく小型化することを求められるからである。また、遠隔治療等で医療施設以外の場所に設置されることもあり、小型化や、持ち運び易さが求められる。
【０００５】
従来、スペキュラー光学系の特徴である斜めからの反射光を撮影する光学系は、撮影光学系、照明光学系の光学部品が幅方向に広がり、幅寸法が大きくなってしまう傾向にあった。装置の省スペース化のために、架台部及びベース部の幅を押さえることは従来技術で比較的簡単にできるため、光学部の幅寸法を押さえる必要が出てきた。
【０００６】
幅寸法を小さくするためには、照明光学系や撮像光学系を構成する部品を中央の観察光軸に近づくように配置すればよい。しかしながら、観察光軸や観察光軸から分岐した光路に沿って配置される部品には、前眼部撮影カメラのほかに、アライメント指標光学系や固視標投影光学系を構成する部品も存在する。従って、照明光学系や撮像光学系を構成する部品を光学基準軸に近づけて配置するための空間的余裕がなかった。そのため、幅寸法を小さくすることが困難であった。
【０００７】
本発明は上記実情に鑑みてなされたものであり、その課題は、幅寸法を従来に比べて小さくすることが可能な眼科用撮影装置を提供することである。
【課題を解決するための手段】
【０００８】
上記課題を解決するため本発明に係る眼科用撮影装置は、
被検眼の前眼部を観察する前眼部観察光学系と、
被検眼に対して斜め前方から照明光を照射する照明光学系と、
前記照明光の被検眼からの反射光を撮影する撮影光学系と、を備えた眼科用撮影装置であって、
眼科用撮影装置内を仮想境界面により仕切られる第１空間部と第２空間部に分け、
第１空間部に、照明光学系と撮像光学系が少なくとも配置され、
第２空間部に、前眼部観察光学系の少なくとも一部が配置されることを特徴とする眼科用撮影装置である。
【０００９】
かかる構成による眼科用撮影装置の作用・効果は、以下の通りである。すなわち、眼科用撮影装置における光学系の部品配置をするときに、装置内部を仮想境界面により仕切られる第１空間部と第２空間部に分ける。従来の装置では、一方の空間部にすべての光学系が配置されていた。一方、本発明では、第１空間部に、照明光学系と撮像光学系が少なくとも配置され、第２空間部に、前眼部観察光学系の少なくとも一部が配置される。従って、第１空間部には、前眼部観察光学系のすべてが配置されないので、空間的な余裕が生じる。その結果、照明光学系や撮像光学系を構成する部品を中央側に近づけて配置することが可能になり、装置の幅寸法を抑制することが可能になった。
【００１０】
本発明において、前記仮想境界面にプレート状の支持体が配置され、この支持体の一方の面に照明光学系と撮像光学系が搭載され、他方の面に前眼部観察光学系の少なくとも一部が搭載されることが好ましい。
【００１１】
第１空間部に配置される光学系と、第２空間部に配置される光学系を共通の支持体に搭載することで、光学系を配置する際の位置精度を保ちつつ、幅方向を小さくすることができる。
【００１２】
本発明に係る前記仮想境界面の平面視において、前眼部観察光学系の少なくとも一部を構成する部品は、第１空間部に配置される光学系を構成する部品と、重なりを有することが好ましい。
【００１３】
仮に、一方の空間部のみに部品を配置する場合は、重なり部を有するような配置はできないが、第１空間部と第２空間部の二層構造にすることで重なり部を有するような部品配置ができ、その分、幅寸法を小さくして装置の小型化に寄与することができる。
【００１４】
本発明に係る前記前眼部観察光学系は、前眼部撮影カメラを含み、この前眼部撮影カメラへの光路を導くための開口部を前記支持体に形成したことが好ましい。
【００１５】
かかる構成によれば、前眼部撮影カメラと、このカメラに像を導くための光路を空間的余裕をもって配置することができる。
【図面の簡単な説明】
【００１６】
【図１】角膜撮影装置の使用状態を示す模式図
【図２】本実施形態に係る角膜撮影装置の主要な光学部品配置を示す模式的な平面図
【図３】本実施形態に係る角膜撮影装置の主要な光学部品配置を示す模式的な裏面図
【図４】装置中心部の縦断面を示す模式図
【発明を実施するための形態】
【００１７】
本発明の好適な実施形態を図１〜図４を用いて説明する。図１は、本発明に係る眼科用撮影装置の一例である角膜撮影装置の使用状態を示し、被検者との位置関係を示す模式図である。図２は、図１に示す角膜撮影装置の主要な光学部品配置を示す平面図である。図３は、図２に示す角膜撮影装置の裏面図である。図４は、図２に示す角膜撮影装置（以下、本装置１と省略）の中心部にある観察光軸で切断した断面図である。
【００１８】
本装置１は、ＸＹＺ架台２に搭載され、さらにこのＸＹＺ架台２はベース３の上に搭載されている。ＸＹＺ架台２により、本装置１は、Ｘ方向（被検者から見て左右方向）、Ｙ方向（被検者から見て上下方向）、Ｚ方向（被検者から見て前後方向）に不図示の機構により移動させることができる。
【００１９】
図１に示すように、本装置１は、被験者が額当て部７０に額を当て、さらに顎乗せ台７１に顎をのせることで、被検者の顔１０を固定した状態で利用される。
【００２０】
次に、図２〜図４を利用して本装置１の内部の光学系を説明する。これらの図に示す構成は、あくまでも一実施形態を示すものであり、この構成に限定されるものではない。
【００２１】
図２に示すように、本実施形態の本装置１には、内部に撮像光学系２０、照明光学系３０、前眼部撮影光学系４０を備えている。前眼部撮影光学系４０は、さらにアライメント指標光学系５０と、固視標投影光学系６０を有している。撮像光学系２０の光軸（以下、撮影光軸Ｌ１）と、照明光学系３０の光軸（以下、照明光軸Ｌ２）とが交差しており、この交点が撮像光学系２０の合焦点Ｐに対応する。合焦点Ｐは、ＸＹＺのアライメントにより角膜内皮上に位置する。
【００２２】
前眼部観察光学系４０の光軸（以下、観察光軸Ｌ３）が、撮影光軸Ｌ１と照明光軸Ｌ２を二分する位置となるように、各光学系が配置されている。すなわち、観察光軸Ｌ３が中心部に位置している。
【００２３】
これらの光学系は、台板４（プレート状の支持体に相当）の上に搭載されている。台板４の形状は、例えば、平面視で正方形あるいは長方形であり、金属や樹脂等の適宜の素材により形成される。ただし、特定の形状や素材に限定されるものではない。
【００２４】
撮像光学系２０は、照明光学系３０により放射された光が、被検眼の角膜面で反射された光を受光する光学系である。被検眼に近い側から、撮影光軸Ｌ１に沿って、対物レンズ２１、マスク２２、折り曲げミラー２３、折り曲げミラー２４、調整ガラス２５、上皮分離フィルター２６、折り曲げミラー２７、リレーレンズ２８、リレーレンズマスク２９、赤外カットフィルター２００、内皮撮影カメラ２０１の順に配置されている。対物レンズ２１は、台板４から被検眼側に飛び出したレンズ鏡筒２１０の内部に保持されている。
【００２５】
撮影光軸Ｌ１と照明光軸Ｌ２の交点、すなわち、合焦点Ｐを被検眼の角膜上に一致させたとき、角膜面で反射した光が撮像光学系２０の光路を介して内皮撮影カメラ２０１により撮影される。
【００２６】
照明光学系３０は、被検眼に対して斜め前方から照明光を照射する。被検眼に近い側から、照明光軸Ｌ２に沿って、対物レンズ３１、折り曲げミラー３２、照明スリット３３、集光レンズ３４、照明光束マスク３５、内皮撮影用ＬＥＤ３６（照明光源）の順に配置されている。対物レンズ３１は、台板４から被検眼側に飛び出したレンズ鏡筒３１０の内部に保持されている。この構成により、内皮撮影用ＬＥＤ３６からのスリット光が角膜表面に照射され、その反射光が内皮撮影カメラ２０１により撮影される。
【００２７】
アライメント指標光学系５０は、アライメント指標光の光源としての赤外ＬＥＤ４７が設けられている。アライメント指標光学系５０の光軸Ｌ４は、観察光軸Ｌ３でもあり、被検眼に近い側から、観察光軸Ｌ３，光軸Ｌ４に沿って、前面防塵ガラス４１、ハーフミラー４２、固視灯レンズ４３、コールドミラー４４、絞り４５、集光レンズ４６、赤外ＬＥＤ４７の順に配置されている。
【００２８】
アライメント指標光学系５０を徹照撮影用の投影光学系として利用し、前眼部撮影カメラ５２で徹照像を撮影可能に構成することもできる。
【００２９】
アライメント指標光は、被検眼の前眼部にその正面から照射される。アライメント指標光の角膜面における反射像であるプルキンエ像は、後述の前眼部撮影カメラ５２（図３、図４参照）により撮影される。
【００３０】
図４は、前眼部撮影カメラ５２までの光学系の部品配置を示す。観察光軸Ｌ３は、ハーフミラー４２の位置で分岐し、台板４の下方に設定された光軸Ｌ６に沿って光学系が配置される。被検眼に近い側から、観察光軸Ｌ３と光軸Ｌ６に沿って、前面防塵ガラス４１、ハーフミラー４２、折り曲げミラー４８、光学フィルター４９、結合レンズ５３、防塵ガラス５１、前眼部撮影カメラ５２の順に配置される。光軸Ｌ６に沿って配置される部品は、台板４の裏面に搭載される。また、台板４には開口部４ａが形成され、ハーフミラー４２で分岐した光路を前眼部撮影カメラ５２まで導くようにしている。
【００３１】
光軸Ｌ６に沿って配置される部品（前眼部観察光学系を構成する部品の少なくとも一部に相当）は、従来、台板４の表面側に搭載されていた部品である。これらの部品が台板４の下面に搭載することで、その分、台板４の表面にスペースが生じる。前眼部観察光学系を構成する部品の残りはＡの領域に配置される。
【００３２】
前眼部撮影カメラ５２は、撮像光学系２０及び照明光学系３０の前部（被検者側）に固定配置された前眼部照明用のＬＥＤ（不図示）からの照明によって照明された被検眼の前部画像も撮影する。前眼部撮影カメラ５２で撮影された画像は、不図示のモニターに送られ、前眼部観察光学系４０で撮影された前眼部像が、前述のプルキンエ像と共に表示される。プルキンエ像が前眼部撮影カメラ５２の表示画面上の所定位置に達するように、ＸＹＺ架台２をＸＹＺ方向に移動させることで観察光軸Ｌ３を角膜頂点に一致させる（アライメント動作）。
【００３３】
図２に戻り、固視標投影光学系６０は、被検者に対して被検眼を固視させるための指標光を発する基準固視灯６１を有する。固視標投影光学系６０は、コールドミラー４４により、光軸Ｌ４から分岐した光路に沿って、絞り６２、基準固視灯６１が配置される。コールドミラー４４は、赤外ＬＥＤ４７からの赤外光を透過させ、基準固視灯６１からの可視光を反射させる。
【００３４】
コールドミラー４２で反射された指標光は、固視灯レンズ４３、ハーフミラー４２を通り、被検眼に投影される。基準固視灯６１は、被験者の視線を正面方向に維持させるために利用される。
【００３５】
以上の構成において、本装置１の内部は仮想境界面により第１空間部と第２空間部に分けられており、仮想境界面に台板４が配置される。第１空間部に配置されるのは、アライメント指標光学系５０、固視標投影光学系６０などの前眼部観察光学系４０の一部であり、残りの前眼部観察光学系４０の一部が第２空間部に配置される。このような配置構成により、装置の幅寸法（図２にＷで示す）を小さくすることが可能になる。
【００３６】
中央部に位置する観察光軸Ｌ３に沿って配置される光学系の部品が少なくなるので、その分スペース的に余裕ができる。その結果、撮像光学系２０や照明光学系３０を構成する部品を、観察光軸Ｌ３や光軸Ｌ４に近い側に配置することができる。例えば、折り曲げミラー３２や折り曲げミラー２３の位置を、より中央側に近づけて配置することで、幅Ｗを小さくすることができる。
【００３７】
本実施形態では、台板４の表面に配置される内皮撮影カメラ２０１、赤外カットフィルター２００と、台板４の裏面に配置される前眼部撮影カメラ５２は、台板４の平面視で重なりを生じている。この重なり面積を大きくとれるほど、幅Ｗの小型化に寄与できることになる。
【００３８】
また、台板４の表裏面にすべての光学系部品を搭載しているので、表面側の光学部品と裏面側の光学部品の取り付け位置精度も保持することができる。
【００３９】
本実施形態では、前眼部撮影カメラ５２等が、第２空間部に配置される構成であったが、これに代えて、アライメント指標光学系５０や固視標投影光学系６０の部品を第２空間部に配置する構成を採用してもよい。
【００４０】
本発明に係る眼科用撮影装置は角膜内皮撮影用の装置であるが、被検眼の斜め前方から照明光を照射して反射光を撮影する構成の装置、例えばレーザーフレアセルメーター、前眼部断面撮影装置にも適用できる。
【００４１】
本発明に係る眼科用撮影装置は照明光学系と撮影光学系とが水平面に配置される構成であるが、鉛直方向に配置される装置にも適用できる。その場合は鉛直方向の小型化に寄与することができる。
【符号の説明】
【００４２】
Ｌ１      撮影光軸
Ｌ２      照明光軸
Ｌ３      観察光軸
１        角膜撮影装置
４        台板
４ａ      開口部
２０      撮像光学系
３０      照明光学系
４０      前眼部観察光学系
５０      アライメント指標光学系
６０      固視標投影光学系
【図１】
2020014761.tif 000003
【図２】
2020014761.tif 000004
【図３】
2020014761.tif 000005
【図４】
2020014761.tif 000006